(57)【要約】      （修正有）【課題】扱いやすく耐久性および耐候性に富む板体係合手段を提供する。【解決手段】正面視Ｌ形の基板を設けるとともに、基板底部に板体５への取付孔を穿設し、該基板の直立部分側面にＵ形フック両端を基板底面に対し平行に固着して、以上の構成による係合金具１を設け、正面視Ｌ形の別基板を設けるとともに該基板底部に別板体への取付孔を穿設し、該基板の直立部分側面に、Ｕ形フック両端を該基板底面に対し垂直方向に固着し、該基板の上方部分を細幅に形成して以上の構成による係合金具１０を設け、係合金具１と１０を各係合金具に設けたＵ形フックが互いに相手フックの内方に位置するよう設けて、遊動可能に係合する。【選択図】図１３
0003210578.tif 000002
【実用新案登録請求の範囲】
【請求項１】
隣り合う同形板体を相互に係合させるために該板体に各々固定される一組の係合金具において、該係合金具を、板体に接して固定される部分である基板部と、該基板部に固定される環状もしくは半環状のフック部とを有するとともに、一方のフック部を他方のフック部内方に位置させて、双方フック部が相互に所定範囲内にて遊動可能であるとともに分離不能に設けたことを特徴とする板体用係合金具。
【請求項２】
基板部として正面視Ｌ形の基板を設けるとともに、基板底部に取付孔を穿設し、該基板の直立部分側面にフック部としてのＵ形フック両端を基板底面に対し平行に固着して、以上の構成による係合金具Ａを設け、基板部としての正面視Ｌ形の別基板を設けるとともに該基板底部に取付孔を穿設し、該基板の直立部分側面に、フック部としてのＵ形フック両端を該基板底面に対し垂直方向に固着し、該基板の上方部分を細幅に形成して以上の構成による係合金具Ｂを設け、以上の係合金具ＡとＢを各係合金具に設けたＵ形フックが互いに相手フックの内方に位置するよう設けたことを特徴とする板体用係合金具。
【請求項３】
基板部として有孔の平板よりなる基板を設け、該基板上面に対して垂直にフック部として長穴形環状フックを該基板端より水平突出させて固着して以上の構成による係合金具Ｃを、請求項２で示した係合金具Ｂの代わりとして設け、請求項２にて示した係合金具Ａとこの係合金具Ｃとを、各係合金具に設けたフックを互いに相手フックの内方に位置するよう設けたことを特徴とする板体用係合金具。
【請求項４】
係合金具Ａ、係合金具Ｂもしくは係合金具Ｃを、併用基板部としての所定平板との組み合わせとし、これらの係合金具を、係合金具と平板に設けた孔に挿通されたビスの頭をつぶしてかしめることにて、該平板に対して回動可能であるとともに分離不能に設けてなる請求項２または３記載の板体用係合金具。
【請求項５】
基板部を有孔平板とし、フック部を該基板に固着される環状フックとし、双方の環状フック間に、環状の中間フックを双方の環状フック内に位置させてなる請求項１記載の板体用係合金具。
【考案の詳細な説明】
【技術分野】
【０００１】  この考案は、複数枚の板体を所定範囲内にて相互移動および遊動可能状態にて係合するための金具に関する。
【背景技術】
【０００２】  従来より、板体を相互に係合するための種々の手段があるが、本案にて示すように二種の金具の相互係合であるとともに、所定範囲内にて相互移動と遊動可能に係合させるための物品は見当たらない。
【考案の概要】
【考案が解決しようとする課題】
【０００３】  板体の係合や支持には従来より種々の手段が用いられているが、ある程度の相互回動可能な手段としては、蝶番が多用されている。また、多少の遊動可能なる手段としては、板体適所に孔を穿設し、この孔間を紐やロープでつなぐ方法もとられている。
複数の板体をこれらの手段でつなげることにて、この各板体を折り畳みまたは広げることができる。この折り畳み可能な複数板体の用途の一つは、ゴミステーションである。
ゴミステーションにも種々のものがあり、その一つは開閉蓋を有する非透視製箱体にゴミ袋を収納するものである。これは、カラスによる鳥害防止には有効であるものの、その箱体サイズにて収納量が限定される。従って、収納できない場合はこの箱体外にゴミ袋が放置されて、それをカラスがつつきだして散乱させて被害が生ずるという問題がある。
一方、簡易型のものとしては、ある程度の剛性を有する所定幅の長尺ネットを引き出して平面視略円形に展開し、これにネットをかぶせるもの、所定サイズの板体を複数個つなげたものを広げて、これにネットをかぶせるものなどがある。
後者の場合、これらの板に穿孔してこの孔間を紐やロープでつなげたものも多用されている。しかし、紐やロープでは耐候性・耐久性に乏しく、定期的にその交換作業をしなければならないという問題を有し、板体のつなげ方によってはこの板体位置が定まりにくいという課題があった。
本案は以上に鑑み、二種の専用金具を係合させる方式を用いることにて、扱いやすく、耐久性に富み、展開した板体位置安定を可能とした板体係合手段を提供することを目的として発案されたものである。
【課題を解決するための手段】
【０００４】  課題を解決する手段として本案は以下の構成とした。
すなわち、本案の一つは、正面視Ｌ形の基板を設けるとともに、基板底部に取付孔を穿設し、該基板の直立部分側面にＵ形フック両端を基板底面に対し平行に固着して、以上の構成による係合金具Ａを設け、正面視Ｌ形の別基板を設けるとともに該基板底部に取付孔を穿設し、該基板の直立部分側面に、Ｕ形フック両端を該基板底面に対し垂直方向に固着し、該基板の上方部分を細幅に形成して以上の構成による係合金具Ｂを設け、以上の係合金具ＡとＢを各係合金具に設けたＵ形フックが互いに相手フックの内方に位置するよう設けたことを特徴とする板体用係合金具である。
また、本案の他の一つは、有孔の平板よりなる基板を設け、該基板上面に対して垂直に長穴形環状フックを該基板端より水平突出させて固着して以上の構成による係合金具Ｃを、請求項１で示した係合金具Ｂの代わりとして設け、請求項１にて示した係合金具Ａとこの係合金具Ｃとを、各係合金具に設けたフックを互いに相手フックの内方に位置するよう設けたことを特徴とする板体用係合金具である。
【考案の効果】
【０００５】  本案によれば、各板体に取り付けた係合金具がＵ形フックを介して係合関係にあるとともに、各係合金具は互いに平行から直角位置まで移動可能であるので、この係合金具にて各板体の展開と折り畳みが可能となって、ゴミステーションなどに有効利用できる有用なる物品を得ることができる。また、金属にて係合金具を製作することにて、その耐久性にも優れた物品を提供することができる。
【図面の簡単な説明】
【０００６】
【図１】本考案の係合金具Ａの平面図
【図２】本考案の係合金具Ａの正面図
【図３】本考案の係合金具Ａの底面図
【図４】本考案の係合金具Ａの右側面図
【図５】本考案の係合金具Ｂの平面図
【図６】本考案の係合金具Ｂの正面図
【図７】本考案の係合金具Ｂの底面図
【図８】本考案の係合金具Ｂの右側面図
【図９】本考案の係合金具ＡとＢの係合説明図（平面視）
【図１０】本考案の係合金具ＡとＢの係合説明図（正面視）
【図１１】本考案の係合説明図（板体固定時）
【図１２】本考案の係合説明図（板体回動時）
【図１３】本考案の係合説明図（複数板体使用時・板体平面視）
【図１４】本考案の係合説明図（複数板体使用時・板体正面視）
【図１５】本考案の係合説明図（板体位置変更時）
【図１６】本考案別例時における係合金具Ｃの平面図
【図１７】本考案別例時における係合金具Ｃの正面図
【図１８】本考案別例時における係合金具Ｃの底面図
【図１９】本考案別例時における係合金具Ｃの右側面図
【図２０】本考案別例時における係合金具ＣとＡとの係合説明図（平面視）
【図２１】本考案別例時における係合金具ＣとＡとの係合説明図（正面視）
【図２２】本考案別例時における係合金具ＣとＡとの係合説明図（板体固定時）
【図２３】本考案例時における係合金具ＣとＡとの係合説明図（板体回動時）
【図２４】本考案変化例における係合説明図
【図２５】本考案変化例における係合説明図
【図２６】本考案他例における係合説明図
【考案を実施するための最良の形態】
【０００７】  以下、本考案の実施形態について説明する。
図において、１は係合金具Ａである。２は基板で正面視Ｌ形の金属板であって図のごとく底部に２個の取付孔３が穿設されている。４は折曲した断面円形金属棒体によるＵ形フックで、その端部は基板の立ち上がった側面に、基板底面と平行に固着される。
１０は係合金具Ｂである。１１は基板で正面視Ｌ形の金属板であって、前述の係合金具Ａ同様に取付孔１２が穿設される。１３は細幅突出部で、基板の立ち上がった部分の上方一部を切除して細幅とした部分であり、その幅はフック４の内部を通過可能なサイズである。１４はＵ形フックで、その端部は該基板の立ち上がった面に基板底面と垂直方向に固着される。以上の係合金具ＡとＢは、図９〜図１０のごとく、互いのＵ形フックを係合させた状態に設けられる。これは各係合金具の制作時においてこのように形成される。【０００８】  本案係合金具は、板体に固定して用いられ、取付孔にボルトを挿通し、また、板体適所にも同形の孔が穿設されて、図１１のように本係合金具は板体に固定される。
複数板体に対して用いるときは、図１３にて示すように、一組の係合金具を隣り合う板体の表側にまず固定し、その隣の板体に対しては、板体の裏側に固定し、これを反復することにて、板体を蛇腹状に折り畳むことができ、広げるときは平面視多角的形状に展開することができる。従って、たとえばゴミステーションの囲いとして本案品を用いることができ、広げた板体の上面にネットをかぶせることにてゴミ袋収納量可変のゴミステーションとして用いることができ、各板体の係合部分は金属製なので、耐久性にも優れたものとなる。【０００９】  図１６〜図１９は本案の別例を示すものである。
本例は係合金具Ａと係合金具Ｃとの組み合わせにて構成される。以下、係合金具Ｃ（２０）について説明する。図において、２１は平面視長方形金属板による基板で、既例同様に取付孔２２が穿設される。２３は環状フックで、基板端寄りの位置上面に垂直に溶接固着され、該フック他端は基板端よりやや水平方向に突出している。
係合金具ＡとＣは、既例同様に各フックは他方のフック内に遊動可能に位置している。
本例は、初例の簡略タイプであってその機能は初例同様であるが、細幅部分を有せず、材料加工の手間を少なくしたものである。【００１０】  図２４〜図２５は、本案の変化例を示すものである。既例においては、係合金具ＡとＢもしくは係合金具ＡとＣの組み合わせにて構成したが、本例では各係合金具を平板部とＬ板部等に分離して構成した。図２４では係合金具をＬ形のＤ（３０）とし、その底部に孔を穿設し、また、係合金具Ｄの下に併用基板部としての有孔平板３１を設け、この平板は板体に既述手段にてボルト止めされ、また、別の孔を穿設し、これらの孔に皿ビス３２を下から挿通して、その上方突出部を打撃にてつぶしてかしめ、平板に対して係合金具Ｄを回動可能であるとともに平板からの分離不可状態としたものである。こうすることにて、係合金具の遊動範囲を広げて、より地面凹凸にフィットしやすく扱いやすいものとなる。なお、上記手段は係合金具ＥやＦにも用いられる。また、平板に別孔に代えて雌ネジを刻設してもよく、係合金具Ｄ上にナットを介してからかしめてもよい。。【００１１】  図２６は本案の他例を示すものである。４０は有孔長方形小金属板による基板、４１は環状フック、４２は環状中間フックである。これらのフックは分離不能であるとともにその構造から所定範囲内にて遊動可能である。本例は、既例に比べてよりシンプルな構成にて目的を達することができる。【００１２】  以上、本案について記したが本案は係合金具にて各板体を係合させることにて、各板体の展開と折り畳みを可能としたところにその特徴を有するものである。
従来法は既述のように、蝶番や紐もしくはロープを用いて各板体を接合もしくは係合させるものであった。蝶番を用いる方法は、各板体の展開と折り畳みは自在となるのであるが、相互板体間の遊びがないために、ゴミステーションに用いる場合においては問題がある。すなわち、板体間の遊びがないので地面の凹凸に対応できないのである。つまり、板体下端と地面との間に間隙ができて、この間隙にて板体載置が不安定となるのである。【００１３】  紐やロープを用いる方法は、板体間に遊びがあるので上記問題は発生しないが、紐等の結び方が甘いと隣り合う板体間にそれなりの隙間ができて、この隙間からカラスがくちばしを差し込んで、収納しているゴミ袋を突き破る恐れがある。
しかるに本案においては係合金具間に適度の遊びを有するので、地面凹凸に追随するとともにロープ方式ほどの遊びはなく、上記２例にて発生する問題を解消できるものとなったのである。また、本案は金属にて製作することにて、耐候性および耐久性に富み、長期間の使用に耐えるものとなっている。【００１４】  なお、初例において係合金具Ｂに細幅部分を設けたので、板体折り畳み時においては図１２にて示すように細幅なので係合金具ＡのＵ形フック内に細幅部分が入り込んで自在に板体を位置させることができる。また、係合金具Ｃを用いる簡略タイプでは加工製作にて有利となる。
なお、板体材質は木材を想定したが、金網を一部に用いた板体や合成樹脂板を用いてもよく、本案係合金具に錆止め塗料を用いる、もしくは防錆ステンレス材を用いることにより、錆発生による劣化を防ぐことができる。
以上の説明においては、ゴミステーション利用例にて示したが、本案構成はこれに限らず多方面への応用も十分可能である。以上のごとく、本案によって板体係合に関わる新規かつ有用なる手段を得ることができる。
【符号の説明】
【００１５】１    係合金具Ａ
２    基板
３    取付孔
４    Ｕ形フック
５    板体
６    ボルト
７    ナット
１０  係合金具Ｂ
１１  基板
１２  取付孔
１３  細幅突出部
１４  Ｕ形フック
２０  係合金具Ｃ
２１  基板
２２  取付孔
２３  環状フック
３０  係合金具Ｄ
３１  有孔平板
３２  皿ビス
３３  係合金具Ｅ
３４  係合金具Ｆ
４０  基板
４１  環状フック
４２  環状中間フック
【図１】
0003210578.tif 000003
【図２】
0003210578.tif 000004
【図３】
0003210578.tif 000005
【図４】
0003210578.tif 000006
【図５】
0003210578.tif 000007
【図６】
0003210578.tif 000008
【図７】
0003210578.tif 000009
【図８】
0003210578.tif 000010
【図９】
0003210578.tif 000011
【図１０】
0003210578.tif 000012
【図１１】
0003210578.tif 000013
【図１２】
0003210578.tif 000014
【図１３】
0003210578.tif 000015
【図１４】
0003210578.tif 000016
【図１５】
0003210578.tif 000017
【図１６】
0003210578.tif 000018
【図１７】
0003210578.tif 000019
【図１８】
0003210578.tif 000020
【図１９】
0003210578.tif 000021
【図２０】
0003210578.tif 000022
【図２１】
0003210578.tif 000023
【図２２】
0003210578.tif 000024
【図２３】
0003210578.tif 000025
【図２４】
0003210578.tif 000026
【図２５】
0003210578.tif 000027
【図２６】
0003210578.tif 000028